(57)【要約】【課題】調和空気を吹きつけるエリアを制限するために垂直ルーバーや左右のシャッタや水平フラップの動作を制限するモードが設けられる場合における操作器の操作の不便を解消する。【解決手段】気流調節装置は、室内の複数の設定エリアの中から選択された空調エリアに調和空気を送るために、上下風向、シャッタおよび左右風向などの調和空気の気流の調節を行う。このとき、リモートコントローラから入力する「全エリア」などの選択エリアをリモートコントローラ液晶表示部に表示する。据付位置設定が「左すみ」に選択されているときには、気流範囲制限モードで制限された範囲に含まれる設定エリアである「左エリア」については、空調エリアとして入力できないような制限を行うとともに液晶表示部に表示させないような制限が行われる。【選択図】図１５
2011080648.tif 000002
【特許請求の範囲】
【請求項１】
室内の複数の設定エリアの中から選択された選択エリアに調和空気を送るために調和空気の気流を調節し得る気流調節装置と、
前記気流調節装置を制御する制御部（３０）と、
前記制御部に与える指示を入力するための入力部および指示内容を表示するための表示部を有し、入力可能な前記設定エリアを前記表示部に表示して前記選択エリアを前記入力部から入力するように構成されている操作器（５）とを備え、
前記制御部は、前記気流調節装置によって導かれる調和空気の範囲を制限する気流範囲制限モードを有し、
前記操作器は、前記制御部で前記気流範囲制限モードが設定されたときに、前記気流範囲制限モードで制限された範囲に含まれる前記設定エリアについては、前記選択エリアとして前記入力部から入力できないような制限を行うとともに前記表示部に表示させないような制限を行う、空気調和装置の室内機。
【請求項２】
調和空気を吹き出すための吹出口（７）が形成されているケーシング本体（６）をさらに備え、
前記気流調節装置は、前記吹出口から吹き出される調和空気の風向の角度を調節する羽根（１１，１２）を含み、
前記制御部は、前記気流範囲制限モードとして、導かれる調和空気の範囲を前記ケーシング本体の位置を基準として制限する据付位置設定モードを有し、前記据付位置設定モードにより制限された範囲へ調和空気を導くような前記羽根の角度の変更を制限するように構成されている、請求項１に記載の空気調和装置。
【請求項３】
前記羽根は、左垂直ルーバー（１９ａ）および右垂直ルーバー（１９ｂ）を含み、
前記制御部は、前記据付位置設定モードにより制限された範囲へ調和空気を導くような前記左垂直ルーバーおよび前記右垂直ルーバーの角度の変更を制限するように構成されている、請求項２に記載の空気調和装置。
【請求項４】
前記羽根は、前記吹出口から吹き出される調和空気の上下方向の角度を調節する水平フラップ（１１）を含み、
前記制御部は、前記据付位置設定モードにより制限された範囲へ調和空気を導くような前記水平フラップの角度の変更を制限するように構成されている、請求項２または請求項３に記載の空気調和装置。
【請求項５】
前記吹出口は、調和空気を前方に吹き出すための中央吹出口および、前記中央吹出口と連通し、前記中央吹出口の長手方向の左右に設けられて左右方向に調和空気を吹き出すための左側方吹出口および右側方吹出口を含み、
前記気流調節装置は、前記左側方吹出口の開閉を行う左シャッタおよび前記右側方吹出口の開閉を行う右シャッタを含み、
前記制御部は、前記据付位置設定モードにより制限された範囲へ調和空気を吹き出させる前記左シャッタまたは前記右シャッタの開放動作を制限する、請求項２から４のいずれかに記載の空気調和装置。
【請求項６】
前記操作器は、前記入力部の操作により、前記設定エリアを循環的に切り替えながら前記選択エリアを選択するように構成されている、請求項１から５のずれかに記載の空気調和装置。
【発明の詳細な説明】
【技術分野】
【０００１】
本発明は、空気調和装置の室内機に関し、特に室内に調和空気を吹き出すことにより室内の空気調和を行う空気調和装置の室内機に関する。
【背景技術】
【０００２】
空気調和装置は、室内の空気調和を行うために室内に設置される室内機を備えている。空気調和装置の室内機は、例えば壁掛け式の場合、本体ケーシング内に、室内側熱交換器を備え、クロスフローファンなどの送風ファンにより室内空気を本体ケーシング内に吸い込み、室内側熱交換器を通して本体ケーシング外に調和空気を吹出口から主に前方に向けて吹き出している。
【０００３】
一般に、吹出口から吹き出される調和空気の風向を制御するために、左右方向の風向を調節する左右風向変更羽根と上下方向の風向を調節する上下風向変更羽根が設けられる。そして、従来の壁掛け型室内機の吹出口は、室内機前面または室内機底面に設けられ、室内機運転時には上下風向変更羽根によって上下方向の風向が調節される。
【０００４】
このように左右風向変更羽根と上下風向変更羽根により風向を制御する場合に、ケーシング本体の側面方向（左右方向）にも調和空気の気流を発生させるために、例えば特許文献１（特開平８−１７８４０７号公報）などには、吹出口を室内ユニット本体の正面の左右両端まで延在して設ける例が示されている。
【発明の概要】
【発明が解決しようとする課題】
【０００５】
以上のように室内機の左右両端や室内機の側面に吹出口が設けられている場合には、垂直ルーバーの方向きを調節することにより、左右方向へ調和空気を吹き出させることができる。ところで、室内機が設置される室内の状況や使用方法によっては、調和空気を室内機から直接吹きつけるようにしたいエリアがある一方、室内機から吹き出された調和空気の気流を直接当てたくないエリアが存在する場合もある。
【０００６】
そこで、調和空気を室内機から直接吹き付けたくないエリアの方に調和空気の気流が向かないように、垂直ルーバーや左右のシャッタや水平フラップの動作を制限するモードが設けられる場合がある。
【０００７】
しかし、このようなモードが設けられると、リモートコントローラなどの操作器を使って選択される得るエリアと、実際に室内機で設定可能なエリアとの間で不一致が生じ、その不一致から操作者の操作器の操作に不便が生じることにもなる。
【０００８】
本発明の課題は、調和空気を吹きつけるエリアを制限するために垂直ルーバーや左右のシャッタや水平フラップの動作を制限するモードが設けられる場合における操作器の操作の不便を解消することにある。
【課題を解決するための手段】
【０００９】
第１発明に係る空気調和装置の室内機は、気流調節装置と制御部と操作器とを備えている。気流調節装置は、室内の複数の設定エリアの中から選択された選択エリアに調和空気を送るために調和空気の気流を調節し得る。制御部は、気流調節装置を制御する。操作器は、制御部に与える指示を入力するための入力部および指示内容を表示するための表示部を有する。また、操作器は、入力可能な設定エリアを表示部に表示して選択エリアを入力部から入力するように構成されている。そして、制御部は、気流調節装置によって導かれる調和空気の範囲を制限する気流範囲制限モードを有する。操作器は、制御部で気流範囲制限モードが設定されたときに、気流範囲制限モードで制限された範囲に含まれる設定エリアについては、選択エリアとして入力部から入力できないような制限を行うとともに表示部に表示させないような制限を行う。
【００１０】
一般に、垂直ルーバーや左右のシャッタや水平フラップの動作が制限されて、調和空気を吹きつける特定のエリアの選択を制限されたときに、その特定のエリアに調和空気を吹きつける設定を操作器から入力できる機能が残ることがある。もし、このような機能を操作者が選択して、選択した特定のエリアに調和空気が吹きつけないと、操作器の操作者に誤解を与え、引いては故障と錯誤する場合も生じる。
【００１１】
本発明によれば、選択を制限された特定の設定エリアについては、入力部からの入力を制限することで、そもそも操作器には選択可能な設定エリアしか表示されず、操作者は制限された設定エリアへの入力を認識し得ない。そのため、操作器の操作と気流調節装置の動作が常に一致するので、操作者に誤解を与えることがなくなる。
【００１２】
第２発明に係る空気調和装置の室内機は、第１発明の空気調和装置の室内機であって、調和空気を吹き出すための吹出口が形成されているケーシング本体をさらに備えている。気流調節装置は、吹出口から吹き出される調和空気の風向の角度を調節する羽根を含む。制御部は、気流範囲制限モードとして、導かれる調和空気の範囲をケーシング本体の位置を基準として制限する据付位置設定モードを有する。そして、制御部は、据付位置設定モードにより制限された範囲へ調和空気を導くような羽根の角度の変更を制限するように構成されている。
【００１３】
本発明によれば、据付位置設定モードにより制限された範囲へ調和空気を導くような羽根の角度の変更を制限する一方、室内機が据え付けられる位置により調和空気を導かれることが制限された設定エリアについて操作器による選択機能がなくなるので、室内機の据付位置に伴って調和空気が導かれなくなった範囲を除いて、操作器の操作と羽根により導かれる調和空気の範囲とが一致した状態で操作者が操作を行うことができる。
【００１４】
第３発明に係る空気調和装置の室内機は、第２発明の空気調和装置の室内機であって、羽根は、左垂直ルーバーおよび右垂直ルーバーを含む。制御部は、据付位置設定モードにより制限された範囲へ調和空気を導くような左垂直ルーバーおよび右垂直ルーバーの角度の変更を制限するように構成されている。
【００１５】
本発明によれば、左垂直ルーバーと右垂直ルーバーの動作を独立して制限することで、より詳細な設定エリアの制限が可能になる。そして、エリア設定が複雑になるほど、制限されなかった設定エリアの選択が、制限された設定エリアを認識することなく設定できることにより、操作者の操作の快適性の向上が図れる。
【００１６】
第４発明に係る空気調和装置の室内機は、第２発明または第３発明の空気調和装置の室内機であって、羽根は、吹出口から吹き出される調和空気の上下方向の角度を調節する水平フラップを含む。制御部は、据付位置設定モードにより制限された範囲へ調和空気を導くような水平フラップの角度の変更を制限するように構成されている。
【００１７】
本発明によれば、水平フラップの動きを制限することによってケーシング本体よりも遠方にある設定エリアまたは近接する設定エリアの選択の制限を行うことができ、そのような場合においても、制限された設定エリアを除いて、操作器の操作と羽根により導かれる調和空気の範囲とが一致した状態で操作者が操作を行うことができる。
【００１８】
第５発明に係る空気調和装置の室内機は、第２発明から第４発明のいずれかの空気調和装置の室内機であって、吹出口は、調和空気を前方に吹き出すための中央吹出口および、中央吹出口と連通し、中央吹出口の長手方向の左右に設けられて左右方向に調和空気を吹き出すための左側方吹出口および右側方吹出口を含む。気流調節装置は、左側方吹出口の開閉を行う左シャッタおよび右側方吹出口の開閉を行う右シャッタを含む。制御部は、据付位置設定モードにより制限された範囲へ調和空気を吹き出させる左シャッタまたは右シャッタの開放動作を制限する。
【００１９】
本発明によれば、左シャッタおよび右シャッタの動きを制限することによってケーシング本体よりも左側にある設定エリアまたは右側にある設定エリアの選択の制限を容易に行うことができる。このように、左シャッタおよび右シャッタの動きを制限することによって、より詳細な設定エリアの制限が可能になる。そして、エリア設定が複雑になるほど、制限されなかった設定エリアの選択が、制限された設定エリアを認識することなく設定できることにより、操作者の操作の快適性の向上が図れる。
【００２０】
第６発明に係る空気調和装置の室内機は、第１発明から第５発明のいずれかの空気調和装置の室内機であって、操作器は、入力部の操作により、設定エリアを循環的に切り替えながら選択エリアを選択するように構成されている。
【００２１】
本発明によれば、選択できない設定エリアがなくなるので、循環的に切り替えられる設定エリアの種類が削減され、入力時間が短縮される。
【発明の効果】
【００２２】
第１発明の空気調和装置の室内機においては、調和空気を導くエリアを制限するために垂直ルーバーや左右のシャッタや水平フラップの動作を制限するモードが設けられる場合でも、操作器にその制限されているモードの選択機能がなくなるので、調和空気を導くエリアとモード選択機能との不一致がなくなり、操作器の操作の不便を解消することができる。
【００２３】
第２発明の空気調和装置の室内機においては、室内機の据付位置によって調和空気が導かれなくなったエリアを除外して、操作器で選択できる設定エリアと室内機が調和空気を導くエリアとを一致させることができ、操作器の操作者の不便を解消することができる。
【００２４】
第３発明の空気調和装置の室内機においては、左垂直ルーバーと右垂直ルーバーを独立させることで複雑化した設定エリアの選択において、操作器の操作の不便を効果的に解消することができる。
【００２５】
第４発明の空気調和装置の室内機においては、水平フラップによる室内機からの距離による制限を設けて複雑になった設定エリアの選択において、操作器の操作の不便を効果的に解消することができる。
【００２６】
第５発明の空気調和装置の室内機においては、左シャッタと右シャッタを設けることで複雑化した設定エリアの選択において、操作器の操作の不便を効果的に解消することができる。
【００２７】
第６発明の空気調和装置の室内機においては、入力時間を短縮することにより、操作器の操作の快適性を向上させることができる。
【図面の簡単な説明】
【００２８】
【図１】この発明の第１実施形態に係る空気調和装置の概要を示す図。
【図２】第１実施形態の室内機の正面図。
【図３】第１実施形態の室内機の側面図。
【図４】吹出通路の周辺の構成を説明するための斜視図。
【図５】（ａ）左右方向に対して垂直な状態の垂直ルーバーを示す平面図。  （ｂ）右に最も傾いた状態の垂直ルーバーを示す平面図。  （ｃ）（ｂ）の状態より右への方向きが少ない状態の垂直ルーバーを示す平面図。
【図６】（ａ）左シャッタ周辺の一部破断拡大斜視図。  （ｂ）左シャッタ周辺の一部破断拡大斜視図。
【図７】（ａ）前方に吹き出すときの垂直ルーバーとシャッタの動きを説明するための模式図。  （ｂ）右吹きのときの垂直ルーバーとシャッタの動きを説明するための模式図。  （ｃ）左吹きのときの垂直ルーバーとシャッタの動きを説明するための模式図。  （ｄ）左右両側に吹き出すときの垂直ルーバーとシャッタの動きを説明するための模式図。  （ｅ）スイング動作を行う垂直ルーバーとシャッタの動きを説明するための模式図。
【図８】（ａ）左のルーバーの角度と各部の動作との関係を説明するための図。  （ｂ）右のルーバーの角度と各部の動作との関係を説明するための図。
【図９】水平フラップおよび水平フラップ駆動機構の周辺の構成を示す斜視図。
【図１０】（ａ）水平フラップが閉じた状態を示す一部破断側面図。  （ｂ）アーム上位位置で水平フラップが開いた状態を示す一部破断側面図。  （ｃ）アーム上位位置で水平フラップが開いた状態を示す一部破断側面図。  （ｄ）アーム上位位置で水平フラップが開いた状態を示す一部破断側面図。  （ｅ）アーム下位位置で水平フラップが開いた状態を示す一部破断側面図。  （ｆ）アーム下位位置で水平フラップが開いた状態を示す一部破断側面図。
【図１１】制御部の構成を示すブロック図。
【図１２】（ａ）リモートコントローラの平面図。  （ｂ）液晶表示部の表示画面の一例を示す平面図。  （ｃ）液晶表示部の表示画面の他の例を示す平面図。
【図１３】（ａ）リモートコントローラの平面図。  （ｂ）リモートコントローラの制御部の一構成を説明するためのブロック図。
【図１４】液晶表示と風向装置と空調エリアの関係を説明するための図。
【図１５】液晶表示と風向装置と空調エリアの関係を説明するための図。
【図１６】液晶表示と風向装置と空調エリアの関係を説明するための図。
【図１７】制御部の構成の詳細を説明するためのブロック図。
【図１８】据付位置設定を行う際の処理を示すフローチャート。
【図１９】液晶表示とフラップ姿勢との関係を示す図。
【図２０】液晶表示と空調エリアとの関係を説明するための図。
【図２１】液晶表示と空調エリアとの関係を説明するための図。
【図２２】液晶表示と空調エリアとの関係を説明するための図。
【図２３】液晶表示と空調エリアとの関係を説明するための図。
【図２４】リモートコントローラの制御部の他の構成を説明するためのブロック図。
【発明を実施するための形態】
【００２９】
−第１実施形態−
＜空気調和装置の構成の概要＞
この発明の第１実施形態に係る空気調和装置１は、図１に示すように、室内の壁Ｗに取り付けられる室内機２と、室外に設置される室外機３とを備えている。室内機２と室外機３とは、冷媒配管、加湿ホース、伝送線及び通信線などを集合した集合連絡配管４によって接続される。
【００３０】
この空気調和装置１は、熱交換を行って室内の空気調和を行うために冷媒回路を備えている。冷媒回路は、例えば、室内機２の室内側熱交換器（冷房時は蒸発器／暖房時は凝縮器として機能する）及び、室外機３の圧縮機と室外側熱交換器（冷房時は凝縮器／暖房時は蒸発器として機能する）と膨張弁などが集合連絡配管４の中の冷媒配管で連結されて構成される。また、空気調和装置１を制御するために、リモートコントローラ５などの制御端末から指令を受けて室内機２のファンモータなどの室内側機器を制御するための電装品箱が室内機２に設けられ、室外機３のファンモータなどの室外側機器を制御するための電装品箱が室外機３に設けられている。そして、室内機２の電装品箱と室外機３の電装品箱とが集合連絡配管４の中を通る伝送線で接続されている。
【００３１】
＜室内機の構成の概観＞
図２に室内機の正面を示し、図３に室内機の右側面を示す。図１、図２及び図３に示されているように、室内機２は、ケーシング本体６と、水平フラップ１１と、左シャッタ２０ａおよび右シャッタ２０ｂとを備えている。また、室内機２は、ケーシング本体６の内部に、室内側熱交換器（図示省略）と、室内ファン９と、垂直ルーバー１２とを備えている。
【００３２】
室内機２のケーシング本体６は、水平方向に長い略直方体形状の部材である。室内機２は、ケーシング本体６の前面２ａ、左側面２ｂ、右側面２ｃ、天面２ｄおよび底面２ｅすなわち背面２ｆを除く５つの面が化粧パネル６ａで覆われている。なお、室内機２の左側面２ｂおよび右側面２ｃに垂直な方向すなわち室内機２の長手方向ＤｒＬに沿う方向を左右方向と呼ぶ場合があり、正面視における右手が右方向、正面視における左手が左方向になる。また、室内機２の背面２ｆから前面２ａ（正面）に向かう方向を前方といい、天面２ｄから底面２ｅの方に向かう方向を下方という。
【００３３】
ケーシング本体６の底面２ｅから左側面２ｂおよび右側面２ｃにかけて、調和空気を吹き出すための吹出口７が形成され、天面２ｄには、室内空気を吸込むための吸込口８が形成されている。なお、吹出口７の詳細については後述する。
【００３４】
図３に示すように、室内機２のケーシング本体６の内部には、側面視においてケーシング本体６の略中央の背面側寄りにクロスフローファン９が設けられる。正面視においては、図２に示すように、このクロスフローファン９は、吸込口８と同じ程度の長さを有し、室内機２（ケーシング本体６）の長手方向ＤｒＬに沿って長く水平に配置されている。
【００３５】
また、ケーシング本体６内のクロスフローファン９の上流側には、側面視において、逆Ｖ字形状をした室内側熱交換器（図示省略）が配置され、クロスフローファン９に吸込まれる前に室内側熱交換器を室内空気が通過することによって空気調和が行われる。このようにケーシング本体６の長手方向に長く延びるクロスフローファン９により室内空気の吸い込みと調和空気の吹き出しとを行って効率良く室内の空気調和を実施させる。そのため室内側熱交換器もケーシング本体６の長手方向に長く延びる形状に形成され、長手方向に長く延びる吸込口８と吹出口７との間に配置される。室内側熱交換器の上流にはエアフィルタ（図示省略）が設けられており、クロスフローファン９に導かれる調和空気にエアフィルタの隙間より大きな埃は完全に取り除かれる。
【００３６】
図１に示す室内機２では、前面２ａから室内空気の吸い込みは行われず、室内機２はもっぱらケーシング本体６の天面２ｄの吸込口８から室内空気の吸い込みを行っている。そのため、室内機２の内部における室内空気の循環は、室内機２の天面２ｄの側から室内機２の底面２ｅの側に向けて行われる。すなわち、ケーシング本体６の天面２ｄの吸込口８から吸込まれた室内空気が、順に、エアフィルタ、室内側熱交換器を通過してクロスフローファン９により吹出通路１０に送り出され、垂直ルーバー１２と水平フラップ１１によって気流の向きが調節され、ケーシング本体６の底面２ｅの吹出口７から吹き出される。
【００３７】
図２および図３に示されているように、吹出通路１０には、左側壁１０ａ、右側壁１０ｂ、後方案内面１０ｃ及び前方案内面１０ｄがある。吹出通路１０の後方案内面１０ｃは、側面視において、クロスフローファン９の側に曲率中心を持つ滑らかな曲線を描いており、下方に向かうに従って曲率半径が大きくなる。そして、後方案内面１０ｃと前方案内面１０ｄとの間隔が吹出口７に近づくほど大きくなり、吹出通路１０の開口が吹出口７に近づくほど大きくなる。また、クロスフローファン９が、右側面から見て、時計回りに回転して送風し、その中心軸が背面２ｆの方に寄って配置されているので、吹出通路１０は、底面２ｅの前方側に向けて斜めに形成される。そのため、吹出通路１０から吹出口７に向かう調和空気の気流は、下方に向く方向ベクトルと前方に向く方向ベクトルとを有し、乱れの少ない層流になる。
【００３８】
＜吹出口周辺の構成＞
図４に示すように、吹出口７は、中央吹出口７ａと左側方吹出口７ｂと右側方吹出口７ｃを含んでいる。吹出通路１０は、吹出口７において、中央吹出口７ａにつながる中央吹出通路１０Ａと、左側方吹出口７ｂにつながる左吹出通路１０Ｂと、右側方吹出口７ｃにつながる右吹出通路１０Ｃに分かれる。中央吹出通路１０Ａと左吹出通路１０Ｂとは収納部２５ａにより仕切られており、中央吹出通路１０Ａと右吹出通路１０Ｃとは収納部２５ｂにより仕切られているが、中央吹出通路１０Ａと左吹出通路１０Ｂと右吹出通路１０Ｃとは互いに連通している。そして、中央吹出口７ａの開閉は水平フラップ１１により行われ、左側方吹出口７ｂの開閉は左シャッタ２０ａにより行われ、右側方吹出口７ｃの開閉は右シャッタ２０ｂにより行われる。
【００３９】
室内機２は、運転停止時に水平フラップ１１が閉じて中央吹出口７ａの開口面１６が塞がれ、運転中に水平フラップ１１が開いて中央吹出口７ａの開口面１６が開放される。図１には、中央吹出口７ａの水平フラップ１１が開いている状態が示されており、図３には水平フラップ１１が閉じている状態が示されている。
【００４０】
吹出通路１０に配置されている垂直ルーバー１２は、左主垂直ルーバー１２ａ、右主垂直ルーバー１２ｂ、左側方垂直ルーバー１２ｃおよび右側方垂直ルーバー１２ｄに分類される複数枚の羽根からなる（図４参照）。垂直ルーバー１２は、図５に示すように、左のルーバー１９ａと右のルーバー１９ｂに分かれて、それぞれ異なる連結棒１３ａ，１３ｂによって連結されている。左のルーバー１９ａには、左主垂直ルーバー１２ａと左側方垂直ルーバー１２ｃが含まれ、右のルーバー１９ｂには、右主垂直ルーバー１２ｂと右側方垂直ルーバー１２ｄが含まれる。ステッピングモータ１３ｃ、１３ｄからアーム１３ｅ，１３ｆを介して駆動力が伝えられて、連結棒１３ａ，１３ｂがそれぞれ独立して駆動されるので、左のルーバー１９ａと右のルーバー１９ｂは、ケーシング本体６の長手方向に対する垂直な面を中心に、互いに独立して左右に揺動することができる。そのため、ステッピングモータ１３ｃ，１３ｄの回転を制御することにより、揺動した後に任意の角度で左主垂直ルーバー１２ａおよび左側方垂直ルーバー１２ｃと、右主垂直ルーバー１２ｂおよび右側方垂直ルーバー１２ｄとを止めて、室内機２の左右方向における調和空気の吹き出し方向を調整することができる。
【００４１】
図４に示す状態では、左側方垂直ルーバー１２ｃおよび右側方垂直ルーバー１２ｄは、開いている左側方吹出口７ｂおよび右側方吹出口７ｃに調和空気を導かない角度で停止している。なお、垂直ルーバー１２の傾きと左側方吹出口７ｂおよび右側方吹出口７ｃの開閉との関係については次に示す通りであり、図４の状態は、説明のためのものであってこの実施形態の運転時には出現しない。
【００４２】
例えば、中央吹出口７ａのみが開放され、中央吹出口７ａに調和空気を集中させたいときには、左のルーバー１９ａと右のルーバー１９ｂの羽根の面を長手方向に対して垂直になるような状態にする（図５（ａ））。
【００４３】
また、右に向かって調和空気を導きたいときには、図５（ｂ）に示すように、時計回りにステッピングモータ１３ｃ，１３ｄを回転させるとアーム１３ｅ，１３ｆが支点１３ｇ，１３ｈを中心に回転して、アーム１３ｅ，１３ｆが連結棒１３ａ，１３ｂを右に押し出し、垂直ルーバー１２を右に傾ける。
【００４４】
この垂直ルーバー１２の傾きは、ステッピングモータ１３ｃ，１３ｄの回転角を制御することにより所望の位置で停止させることができる。例えば、図５（ｂ）のステッピングモータ１３ｃ，１３ｄの回転角よりも小さい角度だけ回転させて図５（ｃ）の状態にすると、図５（ｂ）の角度αよりも小さい角度βの傾きを垂直ルーバー１２に持たせることができる。
【００４５】
図５に示す連結棒１３ａとステッピングモータ１３ｃとアーム１３ｅが垂直ルーバー駆動機構４２の左ルーバー駆動部４２ａを構成し、連結棒１３ｂとステッピングモータ１３ｄとアーム１３ｆが垂直ルーバー駆動機構４２の右ルーバー駆動部４２ｂを構成する。
【００４６】
室内機２は、上述のように垂直ルーバー１２や水平フラップ１１や左シャッタ２０ａおよび右シャッタ２０ｂを駆動するため、上述の垂直ルーバー駆動機構４２と後述する水平フラップ駆動機構とシャッタ駆動機構とを備えている。これらの駆動機構は後述する制御部により制御される。
【００４７】
＜シャッタ＞
図６は、左シャッタ近傍の構成を説明するため、左シャッタの周辺の一部分を破断して拡大した図である。図６（ａ）には、左シャッタ２０ａが閉じ、水平フラップ１１が開いたときの左シャッタの周辺の一部分を破断して拡大した状態が示されている。図６（ｂ）には、左シャッタ２０ａおよび水平フラップ１１が開いたときの左シャッタの周辺の一部分を破断して拡大した状態が示されている。
【００４８】
図６（ａ）および図６（ｂ）に示されている左シャッタ２０ａは、支持部材２３によって支持されつつ駆動され、左側方吹出口７ｂを開くときには反時計回りに回動して収納部２５ａに収納される。この支持部材２３には制御部３０により制御されたステッピングモータ（図示省略）から駆動力が与えられる。収納部２５ａには支持部材２３が移動するためのスリット２６ｄが形成され、支持部材２３の一端部２３ａが左シャッタ２０ａに固定され、他端部２３ｂが回転軸に取り付けられている。そのため、左シャッタ２０ａの回動は、他端部２３ｂを回動の中心としたものになる。収納部２５ａは、開口部を下に向けた略Ｕ字型の形状に変形しており、中央に左シャッタ２０ａが入るキャビティ２６ｃが形成されている。収納部２５ａの上端部２６ａの上に左側方吹出口７ｂに繋がる左吹出通路１０Ｂがある。左シャッタ２０ａが回動して略Ｕ字型のキャビティ２６ｃに収まるため、キャビティ２６ｃが正面視において斜めに傾いているので、収納部２５ａの下端部２６ｂと上端部２６ａの距離が狭まり、左側方吹出口７ｂに繋がる左吹出通路１０Ｂの開口面積を大きくすることができる。
【００４９】
また、ケーシング本体６は、左側方吹出口７ｂ近傍に凹部１５ａを有している。この凹部１５ａには、閉状態の左シャッタ２０ａが嵌まり込む。同様に、右シャッタ２０ｂを収容する凹部（図示省略）も向かって右側方吹出口７ｃ近傍に設けられる。また、凹部１５ａは、左シャッタ２０ａや右シャッタ２０ｂが閉状態である場合に、左シャッタ２０ａや右シャッタ２０ｂとケーシング本体６とが概ね連続して配置されるように構成されている。このため、左シャッタ２０ａおよび右シャッタ２０ｂが閉状態である場合には、左シャッタ２０ａおよび右シャッタ２０ｂの外面とケーシング本体６の外面とが略一面状に配置される。
【００５０】
図６（ａ）および図６（ｂ）において、水平フラップ１１を用いて前方に向かって調和空気を送るときの気流の方向を実線の矢印で示し、左右方向へ向かって調和空気を送るときの気流の方向を点線の矢印で示している。図６（ａ）は、左シャッタ２０ａが閉じて左側方吹出口７ｂが塞がれている状態を示しており、このような実線で示された気流が発生している状態すなわち、垂直ルーバー１２が長手方向に対して垂直になっている状態を示している。また、図６（ｂ）は、左シャッタ２０ａが開いて左側方吹出口７ｂが開放されている状態を示しており、このような点線で示された気流を発生している状態すなわち、垂直ルーバー１２の羽根の面が長手方向に対して垂直な方向よりも左に傾いている状態を示している。図６（ｂ）の状態では、水平フラップ１１および左側方吹出口７ｂを使って、ケーシング本体６の左側面２ｂが面する方向への調和空気の気流を吹き出させることができる。
【００５１】
なお、図６に示すように、水平フラップ１１が閉じている状態では、左シャッタ２０ａの動線上に水平フラップ１１が存在するため、左シャッタ２０ａや右シャッタ２０ｂを開けるときには、先に水平フラップ１１を開く動作が行われる。
【００５２】
＜垂直ルーバーの傾きとシャッタの開閉＞
左シャッタ２０ａと右シャッタ２０ｂの開閉は、垂直ルーバー１２の傾きに応じて選択的に行われる。図７は、室内機２を天面２ｄの側から見た、垂直ルーバー１２の傾きと左シャッタ２０ａおよび右シャッタ２０ｂの開閉との関係を示す模式図である。垂直ルーバー１２は、左のルーバー１９ａと右のルーバー１９ｂに分かれて連結棒１３ａ，１３ｂに連結され、別々に駆動される。
【００５３】
図７（ａ）は、垂直ルーバー１２の羽根の面が長手方向に対して垂直な状態になっており、左シャッタ２０ａも右シャッタ２０ｂも閉じている状態を示している。図７（ａ）の状態では、前方に向かって調和空気を吹き出しており、左右方向への調和空気の吹き出しは行われない。
【００５４】
図７（ｂ）は、垂直ルーバー１２の羽根の面が長手方向に対して右側に傾いており、左シャッタ２０ａが閉じ、右シャッタ２０ｂが開いている状態を示している。図７（ｂ）の状態では、調和空気を右に吹き出すため、左シャッタ２０ａが閉じている。
【００５５】
図７（ｃ）は、垂直ルーバー１２の羽根の面が長手方向に対して左側に傾いており、左シャッタ２０ａが開き、右シャッタ２０ｂが閉じている状態を示している。図７（ｂ）の状態では、調和空気を左に吹き出すため、右シャッタ２０ｂが閉じている。
【００５６】
図７（ｄ）は、垂直ルーバー１２の左のルーバー１９ａの羽根の面が長手方向に対して左側に傾いており、右のルーバー１９ｂの羽根の面が長手方向に対して左側に傾いており、左シャッタ２０ａおよび右シャッタ２０ｂが開いている状態を示している。図７（ｄ）の状態では、調和空気を左および右の両方向に吹き出すため、左シャッタ２０ａおよび右シャッタ２０ｂが共に開いている。
【００５７】
図７（ｅ）は、垂直ルーバー１２の羽根の面が長手方向に対して垂直な状態を境に左右にスイングしており、左シャッタ２０ａも右シャッタ２０ｂも閉じている状態を示している。図７（ｅ）の状態では、左シャッタ２０ａおよび右シャッタ２０ｂを垂直ルーバー１２の羽根の面に対応させて開閉すると、スイングに合わせて開閉動作が連続するため、使用者に対して不快感を与えるので、閉じた状態で固定されている。
【００５８】
図７（ａ）乃至図７（ｅ）の状態は、全て水平フラップ１１は開いた状態になっている。図７（ｂ）乃至図７（ｄ）の状態を実現するためには、いずれも既に説明したように水平フラップ１１を開き、続いて左シャッタ２０ａおよび右シャッタ２０ｂを開く。
【００５９】
上述のような垂直ルーバーの傾きとシャッタの開閉との関係について図８を用いて説明する。図８（ａ）には、垂直ルーバー１２の左のルーバー１９ａの角度と左シャッタ２０ａとの関係について記載され、図８（ｂ）には、垂直ルーバー１２の右のルーバー１９ｂの角度と右シャッタ２０ｂとの関係について記載されている。
【００６０】
図８（ａ）に示すように、垂直ルーバー１２の左のルーバー１９ａが取り得る状態の境界には、角度１２ｐ〜１２ｕ，１２ｘ，１２ｙがある。角度１２ｘは、左側全開角度であって、左のルーバー１９ａがこの角度にあるときは構造当たりを起こしており、原点を決めるための角度である。角度１２ｙは、右側全開角度であって、左のルーバー１９ａがこの角度にあるときは構造当たりを起こしており、原点を決めるための角度である。角度１２ｐは、据付設定が中央になっているときの左側スイング角度、角度１２ｑは、据付設定が中央になっているときの右側スイング角度であり、据付設定が中央になっているときには、角度１２ｐと角度１２ｑの間の範囲Ａｎ１を左のルーバー１９ａがスイングする。角度１２ｒはセンターすなわち室内機の長手方向に対して垂直ルーバー１２の羽根の面が垂直になる角度である。
【００６１】
角度１２ｓは、据付設定が左になっているときの左側スイング角度であり、据付設定が左になっているときには、角度１２ｓと角度１２ｑの間の範囲Ａｎ２を左のルーバー１９ａがスイングする。また、角度１２ｔは、据付設定が右になっているときの右側スイング角度であり、据付設定が右になっているときには、角度１２ｐと角度１２ｔの間の範囲Ａｎ３を左のルーバー１９ａがスイングする。
【００６２】
角度１２ｕは、左シャッタ２０ａの開閉を判断する境界の角度であり、角度１２ｕと角度１２ｐの間の範囲Ａｎ４に左のルーバー１９ａがあるときには、左シャッタ２０ａを開き、角度１２ｕと角度１２ｑの間の範囲Ａｎ５に左のルーバー１９ａがあるときには左シャッタ２０ａを閉じる。
【００６３】
図８（ｂ）に示すように、垂直ルーバー１２が取り得る状態の境界には、角度１２ｐ〜１２ｔ，１２ｖ，１２ｘ，１２ｙがある。図８（ａ）と異なるのは、角度１２ｖであり、右シャッタ２０ｂの開閉を判断する境界の角度である。角度１２ｖと角度１２ｐの間の範囲Ａｎ６に右のルーバー１９ｂがあるときには、右シャッタ２０ｂを開き、角度１２ｕと角度１２ｑの間の範囲Ａｎ７に右のルーバー１９ｂがあるときには右シャッタ２０ｂを閉じる。
【００６４】
＜水平フラップ＞
図９は、水平フラップ１１の外観とその周囲の構造を示す斜視図である。水平フラップ１１は、室内機２の下方を構成する取り付け板６０から吊り下げられている。この取り付け板６０に取り付けられる水平フラップ１１によって中央吹出口７ａを塞ぐことができるように、取り付け板６０は、中央吹出口７ａの開口面１６よりも上方に配置されかつ、吹出通路１０の前方案内面１０ｄの側に配置されている。
【００６５】
水平フラップ駆動機構４１の左支持アーム駆動部４６は、駆動源として駆動用モータ５４ａを備えており、駆動用モータ５４ａの駆動軸５５ａにはピニオンギア５２ａが取り付けられている。取り付け板６０の開口部６１ａでピニオンギア５２ａがラックギア５６ａと噛み合っており、ラックギア５６ａが形成されている左支持アーム５３ａの迫出し量がピニオンギア５２ａの回転数によって制御される。そのために、駆動用モータ５４ａにはステッピングモータが用いられ、左支持アーム５３ａが案内溝６２ａにスライド自在に挿通されており、駆動用モータ５４ａの回転に連れて左支持アーム５３ａが案内溝６２ａ内をスライドする。左支持アーム５３ａの先端は、水平フラップ１１の連結部１１ｐに固定された回転軸５７ａによって回動自在に軸支されている。
【００６６】
同様に、右支持アーム駆動部４７は、駆動源として駆動用モータ５４ｂを備えており、駆動用モータ５４ｂの回転に連れて右支持アーム５３ｂが案内溝６２ｂ内をスライドし、右支持アーム５３ｂの迫出し量が駆動用モータ５４ｂの回転数によって制御される。なお、開口部６１ｂで噛み合わされる右支持アーム駆動部４７のピニオンギアについては図示を省略している。右支持アーム５３ｂの先端も、水平フラップ１１の連結部１１ｑに固定された回転軸（図示省略）によって回動自在に軸支されている。
【００６７】
中間支持アーム駆動部４８は、駆動源として駆動用モータ５４ｃを備えている。駆動用モータ５４ｃは、中間支持アーム５３ｃを駆動するため、中間支持アーム５３ｃの回動アーム５８ａに取り付けられている。回動アーム５８ａは、可動軸（図示省略）によって揺動アーム５８ｂに連結されている（図１０（ｃ）参照）。そして、揺動アーム５８ｂが水平フラップ１１の連結部１１ｒにおいて揺動可能に軸支されている。この揺動アーム５８ｂを駆動用モータ５４ｃの回転軸の回りで回転させることによって、主に、水平フラップ１１の回転動作を行わせる。
【００６８】
図１０は、水平フラップの動作を説明するため、側面から見た吹出口近傍の断面を模式的に示した図である。図１０（ａ）は、空気調和装置１の動作が停止して、水平フラップ１１が全閉になっているときの状態を示している。このとき、左支持アーム５３ａおよび右支持アーム５３ｂは、水平フラップ１１がスムーズに移動可能な範囲で、迫出し量が最も少なくなるように収納されている。左支持アーム５３ａを収納するには、駆動用モータ５４ａが、右から見て反時計回りにピニオンギア５２ａを回転させて左支持アーム５３ａを引き込むように駆動する。右支持アーム５３ｂを収納するにも、駆動用モータ５４ｂが、右から見て反時計回りにピニオンギアを回転させて右支持アーム５３ｂを引き込むように駆動する。その際、駆動用モータ５４ｃは、右から見て反時計回りに回動アーム５８ａを回転させて揺動アーム５８ｂを上に引き上げ、水平フラップ１１の後端部の側を上に持ち上げる。各駆動用モータ５４ａ，５４ｂ，５４ｃは、水平フラップ１１がケーシング本体６に当接した後も駆動力を発生し続ける。しかし、水平フラップ１１がケーシング本体６に当接しているため、ラックギア５６ａ，５６ｂや回動アーム５８ａは移動しない。このように、ラックギア５６ａ，５６ｂや回動アーム５８ａが動かなくなってからも各駆動用モータ５４ａ，５４ｂ，５４ｃが駆動力を発生する工程がいわいる増し締めである。このような増し締めを行うことで、水平フラップ１１によって中央吹出口７ａを確実に塞ぐことができる。
【００６９】
図１０（ｂ）は、水平フラップ１１を開いた後に、右から見て、水平フラップ１１を時計回りに最も回転させた状態を示している。以下の説明において、水平フラップ１１を時計回りに最も回転させた状態をロールアップ状態という。ロールアップ状態にするには、ロールアップ状態になっても水平フラップ１１がケーシング本体６に当たらないところまで左支持アーム５３ａおよび右支持アーム５３ｂが迫出していなくてはならない。図１０（ｂ）に示されている状態は、水平フラップ１１がケーシング本体６に当たらないところまで左支持アーム５３ａおよび右支持アーム５３ｂが迫出しているが、その迫出し量をできる限り少なくした状態である。以下の説明では、このように水平フラップ１１がどのような姿勢でもケーシング本体６に当たらない範囲で左支持アーム５３ａおよび右支持アーム５３ｂの迫出し量をできる限り少なくした状態をアーム上位位置という。このアーム上位位置では、水平フラップ１１がどの角度でも水平フラップ１１はケーシング本体６には当接しない。そして、ロールアップ状態では、水平フラップ１１以外の可動部分がいずれかの箇所に当たってそれ以上移動しなくなる構造当たりを起こしている。そのような構造当たりを起こしたときに、図１０（ａ）の水平フラップ１１の増し締めを行うことで水平フラップ１１の位置決めを行い、図１０（ｂ）の場合には水平フラップ１１の回転角度の基準を与えることができる。
【００７０】
図１０（ｃ）は、アーム上位位置において、右から見て、水平フラップ１１を反時計回りに最も回転させた状態を示している。以下の説明において、水平フラップ１１を反時計回りに最も回転させた状態をロールダウン状態という。ロールダウン状態にするには、ロールダウン状態になっても水平フラップ１１がケーシング本体６に当たらないところまで左支持アーム５３ａおよび右支持アーム５３ｂが迫出していなくてはならない。そして、ロールダウン状態でも、水平フラップ１１以外の可動部分がいずれかの箇所に当たってそれ以上動かなくなる構造当たりを起こしている。そのような構造当たりを起こしたときに増し締めを行うことで水平フラップ１１の位置決めを行い、図１０（ｂ）の場合と同様に水平フラップ１１の回転角度の基準を与えることができる。従って、制御部３０は、図１０（ｂ）と図１０（ｃ）のいずれかまたは両方を使って水平フラップ１１の回転角度を把握しながら正確に制御することができる。
【００７１】
図１０（ｄ）は、アーム上位位置における運転時の水平フラップの状態を示している。図１０（ｂ）のロールアップ状態や図１０（ｃ）のロールダウン状態で運転すると、構造当たりを起こしているために振動などの影響を受けて早く劣化してしまうため、ロールアップ状態よりも少し反時計回りに回転した角度とロールダウン状態よりも少し時計回りに回転した角度との間の角度を使って運転が行われる。
【００７２】
図１０（ｅ）は、水平フラップ１１を開いた後に、右から見て、水平フラップ１１を反時計回りに最も回転させた状態（ロールダウン状態）を示している。図１０（ｅ）に示されている状態は、水平フラップ１１がケーシング本体６に当たらないところまで左支持アーム５３ａおよび右支持アーム５３ｂが迫出しているが、その迫出し量をできる限り多くした状態である。以下の説明では、このように左支持アーム５３ａおよび右支持アーム５３ｂの迫出し量が最大の状態をアーム下位位置という。このアーム下位位置では、水平フラップ１１がどの角度でも水平フラップ１１はケーシング本体６には当接しない。そして、ロールダウン状態では、水平フラップ１１以外の可動部分がいずれかの箇所に当たってそれ以上移動しなくなる構造当たりを起こしている。そのため、起こしたときに増し締めを行うことで水平フラップ１１の位置決めを行い、図１０（ｅ）の場合にも水平フラップ１１の回転角度の基準を与えることができ、制御部３０は、図１０（ｅ）を使って水平フラップ１１の回転角度を把握しながら正確に制御することができる。
【００７３】
アーム下位位置では、左支持アーム５３ａおよび右支持アーム５３ｂの迫出し量が最大になるので、左支持アーム５３ａおよび右支持アーム５３ｂに水平フラップ１１の長さが加わると、室内機２の下方に配置される家具などに水平フラップ１１がぶつかる可能性が大きくなる。そのため、アーム下位位置においてはロールアップ状態を禁止している。
【００７４】
図１０（ｆ）は、アーム下位位置における運転時の水平フラップの状態を示している。図１０（ｅ）のロールダウン状態で運転すると、構造当たりを起こしているために振動などの影響を受けて早く劣化してしまうため、ロールダウン状態よりも少し時計回りに回転した角度を使って運転が行われる。
【００７５】
＜制御部＞
上述の水平フラップ１１と垂直ルーバー１２の吹出し方向の調整により、クロスフローファン９の風速の調整により、また左シャッタ２０ａおよび右シャッタ２０ｂの開閉により、室内の形態や室内の状況に対応した適切な空気調和のための調和空気の気流を発生することができる。すなわち水平フラップ１１と垂直ルーバー１２とクロスフローファン９と左シャッタ２０ａや右シャッタ２０ｂおよびそれらを駆動する機構が気流調節装置を構成する。これら水平フラップ１１や垂直ルーバー１２やクロスフローファン９や左シャッタ２０ａおよび右シャッタ２０ｂを含む気流調節装置の制御を行うために、図１１に示すような制御部３０を備えている。
【００７６】
制御部３０は、室内機２の各機器を制御するための室内制御部３１と、室外機の各機器を制御するための室外制御部３２とを備えており、室内制御部３１と室外制御部３２との間を信号線３３で接続して構成されている。
【００７７】
室外制御部３２は、圧縮機３４、室外電動膨張弁３５、四路切換弁３６、室外ファン３７、複数の圧力センサ３８および複数の温度センサ３９などに接続されている。室外制御部３２は、四路切換弁３６を切り換えることにより、冷凍回路に流れる冷媒の循環経路の切換を行って暖房運転と冷房運転の切換などの運転切換の制御を行う。室外制御部３２は、例えば圧縮機３４の回転数を制御することにより冷媒回路の冷媒循環量を制御し、室外電動膨張弁３５の開度を制御することにより冷媒回路を流れる冷媒の圧力を制御する。また、室外制御部３２は、室外ファン３７の回転数を制御することにより、室外側熱交換器における熱交換効率の制御などを行う。そのため、冷媒回路や各機器に設置された複数の圧力センサ３８や温度センサ３９などによって検知された各部の温度や圧力を、室外制御部３２は、制御のための判断に用いている。
【００７８】
一方、室内制御部３１には、送受信部４０、水平フラップ駆動機構４１、垂直ルーバー駆動機構４２、シャッタ駆動機構４９、クロスフローファン用モータ４３、温度センサ４４および表示部４５などが接続されている。室内制御部３１は、制御のために、使用者のリモートコントローラ５などと送受信部４０との間でデータの送受信を行っている。室内制御部３１は、室内の状態や使用者の設定に従って、水平フラップ駆動機構４１、垂直ルーバー駆動機構４２およびクロスフローファン用モータ４３の制御を行い、水平フラップ１１および垂直ルーバー１２の角度や揺動の状態、およびクロスフローファン用モータ４３の回転数を調整し、調和空気の吹出し方向や吹き出す強さなどを変更することができる。室内制御部３１は、冷媒回路や各機器に設置された複数の温度センサ４４などによって検知された各部の温度などの状態情報を、制御のための判断に用いている。また、室内制御部３１は、表示部４５を介して、室内機２の設定状態や環境などを使用者に知らせる。
【００７９】
室内制御部３１が制御する水平フラップ駆動機構４１は、水平フラップ１１を迫出させたり収納したりする駆動ができるように、左支持アーム駆動部４６と右支持アーム駆動部４７と中間支持アーム駆動部４８を備えている。室内制御部３１は、水平フラップ１１を平行移動させるときには、左支持アーム５３ａの移動量と右支持アーム５３ｂの移動量とが同じになるように制御するとともに、水平フラップ１１が平行移動するように中間支持アーム５３ｃを左支持アーム５３ａおよび右支持アーム５３ｂの動きに追従させる。
【００８０】
水平フラップ１１が吹出口７を塞いだ状態から開放して、水平フラップ１１を所望の状態にするときには、室内制御部３１は、まず、左支持アーム駆動部４６と右支持アーム駆動部４７により左支持アーム５３ａと右支持アーム５３ｂを駆動する。水平フラップ１１の迫出しによって塞がれていた吹出口７は開放されるが、このとき、中間支持アーム駆動部４８は、水平フラップ１１が中央吹出口７ａの開口面１６に対して迫出す動作に追従して回動アーム５８ａを回動させる。それにより、水平フラップ１１が吹出口７の周囲に強く擦れずにスムーズに吹出口７から開放される。このように移動させられる機構を持つため、水平フラップ１１の形状は、中央吹出口７ａの形状とほぼ等しいものにすることができる。そのため、水平フラップ１１で、中央吹出口７ａを塞いだときの隙間２ｗ（図２参照）を小さくすることができる。それにより、意匠性を向上させることができる。また、例えば、図３に示すように、室内機２の下方の面２ｘ，２ｙ，２ｚを面一にすることができ、水平フラップ１１とその周囲のケーシング本体６との境界を目立たなくすることで、美しい外観を形成することができる。
【００８１】
次に、左支持アーム５３ａおよび右支持アーム５３ｂを固定した状態にするとともに、中間支持アーム駆動部４８により、回動アーム５８ａを回動させ、左支持アーム５３ａの連結部と右支持アーム５３ｂの連結部とを結ぶ軸の周りで水平フラップ１１を回動させる。以上のような平行移動と回動移動の２ステップの操作で水平フラップ１１を所望の状態に移動することができる。なお、上述のような２ステップの操作を並行して行わせ、平行移動させつつ回動移動をさせることにより１ステップで水平フラップ１１を所望の状態に移動させるように、室内制御部３１が制御することもできる。
【００８２】
これら中間支持アーム５３ｃ、左支持アーム５３ａおよび右支持アーム５３ｂの動作と水平フラップ１１の具体的な姿勢制御については後述する。
【００８３】
シャッタ駆動機構４９は、左シャッタ２０ａおよび右シャッタ２０ｂを駆動するための機構であり、後述するシャッタ駆動機構駆動用モータとシャッタ駆動アームなどを備えている。制御部３０により、シャッタ駆動機構４９の駆動が制御されることによって左シャッタ２０ａや右シャッタ２０ｂの開閉が制御される。シャッタ駆動機構４９による左シャッタ２０ａと右シャッタ２０ｂの開閉は独立に行うことができ、それぞれ独立に制御部３０による制御が可能である。
【００８４】
＜リモートコントローラ＞
図１２および図１３には、リモートコントローラが示されている。リモートコントローラ５は、図１２（ａ）および図１３（ａ）に示すように、その外観上、液晶表示部５ａと操作部５ｂとを備えている。図１２（ａ）、図１２（ｂ）および図１２（ｃ）に示すように、液晶表示画面に文字・記号・絵などの複数の情報を表示し、またその表示内容が切り替わることにより、使用者に対して多くの情報を伝達することができる。
【００８５】
リモートコントローラ５の操作部５ｂには、使用者が入力を行うために、風エリアボタン５ｍ、メニュー／決定ボタン５ｎ、選択ボタン５ｐ、風量ボタン５ｑ、左右風向ボタン５ｒ、上下風向ボタン５ｓなどの各種のボタンが配置されている。これらのボタンは、図１３（ｂ）に示すＣＰＵ５ｃに接続されており、ボタンを押すことによって所望の情報をＣＰＵ５ｃに入力することができる。このＣＰＵ５ｃは、図１３（ｂ）に示す記憶部５ｄや送受信部５ｅとともに、リモートコントローラ５の筐体内に収められている。
【００８６】
図１２（ａ）、図１２（ｂ）および図１２（ｃ）に示されている液晶表示部５ａに表示されている、矢印の絵と全エリア、右エリアおよび左エリアの文字からなる画面表示は、風エリアの選択結果を示す画面表示である。ここで、風エリアとは、室内機２から吹き出される調和空気を直接吹きつける領域のことである。この実施形態においては、室内を室内機２の長手方向について中央とその左右両側の３つに分割して、直接吹きつける領域を、中央と左右両側を含む全エリアと、中央と左側を含む左エリアと、中央と右側を含む右エリアの３つに区分している。図１２（ａ）には、全エリアを選択した場合の表示画面が示され、図１２（ｂ）には、右エリアを選択した場合の表示画面が示され、図１２（ｃ）には、左エリアを選択した場合の表示画面が示されている。
【００８７】
図１２（ａ）などの液晶画面の表示を行わせるには、メニュー／決定ボタン５ｎによって風エリアの選択が可能なメニューを選択する。そして、風エリアのメニューにおけるモード選択は、風エリアボタン５ｍによって行う。図１２（ａ）の全エリア、図１２（ｂ）の右エリア、図１２（ｃ）の左エリアは、風エリアボタン５ｍを押す度にサイクリックに切り替えられ、選択できるようになっている。
【００８８】
＜据付位置設定と液晶表示＞
図１の壁掛け型の室内機２は、常に部屋の壁Ｗの中央部に据付けられるとは限らず、壁Ｗの左端や右端に近いところに据付けられることがある。室内機２が壁Ｗの右端や左端に近いところに据付けられると、壁Ｗに続く隣の壁と室内機２との距離が近すぎて、調和空気の吹き出す方向によっては、直接隣の壁に向かって調和空気を吹きつけることになる。調和空気が壁や壁近くに配置された家具などに直接当たると、結露や埃の巻上げなど起こるので好ましくない。そのため、室内機２の据付位置によって調和空気を吹き出す方向を制限する、据付位置設定のモードが設けられている。
【００８９】
図８に示すように、室内機２が壁Ｗの右端に据付され、右据付位置設定がなされると、室内機２では、右側スイング角度１２ｔを限度として垂直ルーバー１２の角度の調節が行われる。また、室内機２が壁Ｗの左端に据付され、左据付位置設定がなされると、室内機２では、左側スイング角度１２ｓを限度として垂直ルーバー１２の角度の調節が行われる。
【００９０】
図１４には、据付位置設定が中央の場合について、リモートコントローラの液晶表示と、上下風向と、左シャッタおよび右シャッタと、左右風向と、空調エリアとの関係が示されている。
【００９１】
図１４において、全エリアの文字と３つの矢印からなる画面表示が液晶表示として描かれている一つ目の列は、風エリアとして全エリアを選択した場合の状態が示されている。風エリアとして全エリアを選択すると、リモートコントローラ５の液晶表示部５ａには、全エリアの文字と３つの矢印からなる画面が表示される。全エリアが選択された室内機２では、上下風向は運転モードに従い、左シャッタ２０ａおよび右シャッタ２０ｂは開き、左右風向は左のルーバー１９ａが左側スイング角度１２ｐに調節されて右のルーバー１９ｂが右側スイング角度１２ｑに調節される。そのため、図１４の一列目の最下段にハッチングで示されている領域が空調エリアとなり、室内機２が吹き出す調和空気の気流は、室内１００の全範囲に及ぶ。
【００９２】
図１４において、右エリアの文字と２つの矢印からなる画面表示が描かれている二つ目の列は、風エリアとして右エリアを選択した場合の状態が示されている。風エリアとして右エリアを選択すると、リモートコントローラ５の液晶表示部５ａには、右エリアの文字と２つの矢印からなる画面が表示される。右エリアが選択された室内機２では、水平フラップ１１で調節される上下風向は運転モードに従い、左シャッタ２０ａは閉じて右シャッタ２０ｂは開き、左右風向は左のルーバー１９ａおよび右のルーバー１９ｂが右側スイング角度１２ｑに調節される。そのため、空調エリアは、図１４の二列目の最下段において、ハッチングで示されているように、室内１００の中央および右側に限定される。
【００９３】
図１４において、左エリアの文字と２つの矢印からなる画面表示が描かれている三つ目の列は、風エリアとして左エリアを選択した場合の状態が示されている。つまり、風エリアとして左エリアを選択すると、リモートコントローラ５の液晶表示部５ａには、左エリアの文字と２つの矢印からなる画面が表示される。左エリアが選択された室内機２では、水平フラップ１１で調節される上下風向は運転モードに従い、左シャッタ２０ａは開いて右シャッタ２０ｂは閉じ、左右風向は左のルーバー１９ａおよび右のルーバー１９ｂが左側スイング角度１２ｐに調節される。そのため、空調エリアつまり室内機２が吹き出す調和空気の気流は、図１４の二列目の最下段にハッチングで示されているように、室内１００の中央および左側に限定される。
【００９４】
以上のように、据付位置設定が中央の場合には、風エリアとして、全エリア、右エリアおよび左エリアの三種類のモード選択が可能になる。それに伴って、リモートコントローラ５の液晶表示部５ａにも三種類の画面表示が可能になっていて、リモートコントローラ５の操作部５ｂを使って三種類のモードの入力が可能になっている。
【００９５】
ところが、上述のように、室内機２の据付位置によって調和空気を吹き出す方向を制限する、据付位置設定のモードが設けられているため、例えば据付位置設定を左すみに設定すると、図８の左側スイング角度１２ｓまでしか左に向く角度が許容されなくなり、垂直ルーバー１２の風エリアの左エリアの設定ができなくなる。
【００９６】
図１５には、据付位置設定が左すみの場合について、リモートコントローラの液晶表示と、上下風向と、左シャッタおよび右シャッタと、左右風向と、空調エリアとの関係が示されている。
【００９７】
図１５において、一つ目の列には、風エリアとして全エリアを選択した場合の状態が示されており、リモートコントローラ５の液晶表示部５ａには、全エリアの文字と３つの矢印からなる画面が表示される。この場合、室内機２では、水平フラップ１１で調節される上下風向は運転モードに従い、左シャッタ２０ａが閉じられて右シャッタ２０ｂは開き、左右風向は左のルーバー１９ａがセンター角度１２ｒに調節されて右のルーバー１９ｂが右側スイング角度１２ｑに調節される。そのため、室内機２が吹き出す調和空気の気流は、室内機２の前方および右側に限定される。しかし、室内機２が壁Ｗの左すみに据え付けられているため、図１５の一列目の最下段において、ハッチングで示されているように、室内機２が吹き出す調和空気の気流は、室内１００の全範囲に及ぶ。
【００９８】
図１５において、二つ目の列には、風エリアとして右エリアを選択した場合の状態が示されており、リモートコントローラ５の液晶表示部５ａには、右エリアの文字と２つの矢印からなる画面が表示される。この場合、水平フラップ１１で調節される上下風向は上下風向は運転モードに従い、左シャッタ２０ａは閉じて右シャッタ２０ｂは開き、左右風向は左のルーバー１９ａおよび右のルーバー１９ｂは右側スイング角度１２ｑに調節される。そのため、室内機２が吹き出す調和空気の気流は、図１５の二列目の最下段において、ハッチングで示されているように、室内機２が吹き出す調和空気の気流は、概ね室内１００の中央および右側に限定される。室内機２が壁Ｗの左すみに据え付けられているため、室内機２に近いところでは室内機２の前方にも少し調和空気の気流が生じることから、ここで概ね右側に限定されると表現している。
【００９９】
図１５において、三つ目の列は、×印で消されている。これは、風エリアとして左エリアの選択ができないことを示している。据付位置設定が左すみの場合には、風エリアとして、全エリアおよび右エリアの二種類のモード選択が可能になる。つまり、リモートコントローラ５の操作部５ｂを使っての二種類のモードの入力に限定され、リモートコントローラ５の液晶表示部５ａの表示も二種類に限定される。このような室内機２におけるモード選択の制限とリモートコントローラ５による画面表示と入力の制限の方法ついては後述する。
【０１００】
図１６には、据付位置設定が右すみの場合について、リモートコントローラ５の液晶表示と、上下風向と、左シャッタおよび右シャッタと、左右風向と、空調エリアとの関係が示されている。
【０１０１】
図１６において、一つ目の列には、風エリアとして全エリアを選択した場合の状態が示されており、リモートコントローラ５の液晶表示部５ａには、全エリアの文字と３つの矢印からなる画面が表示される。この場合、上下風向は運転モードに従い、左シャッタ２０ａは開かれて右シャッタ２０ｂは閉じ、左右風向は左のルーバー１９ａが左側スイング角度１２ｐに調節され、右のルーバー１９ｂがセンター角度１２ｒに調節される。そのため、室内機２が吹き出す調和空気の気流は、室内機２の前方および左側に限定される。しかし、室内機２が壁Ｗの右すみに据え付けられているため、図１６の一列目の最下段にハッチングで示されているように、室内機２が吹き出す調和空気の気流は、室内１００の全範囲に及ぶ。
【０１０２】
図１６において、三つ目の列には、風エリアとして左エリアを選択した場合の状態が示されており、リモートコントローラ５の液晶表示部５ａには、左エリアの文字と２つの矢印からなる画面が表示される。この場合、上下風向は運転モードに従い、左シャッタ２０ａは開いて右シャッタ２０ｂは閉じ、左右風向は左のルーバー１９ａおよび右のルーバー１９ｂが右側スイング角度１２ｑに調節される。そのため、室内機２が吹き出す調和空気の気流は、図１６の二列目の最下段において、ハッチングで示されているように、概ね室内１００の中央および左側に限定される。室内機２が壁Ｗの右すみに据え付けられているため、室内機２に近いところでは室内機２の前方にも少し調和空気の気流が生じることから、ここで概ね左側に限定されると表現している。
【０１０３】
図１６において、二つ目の列は、×印で消されている。これは、風エリアとして右エリアの選択ができないことを示している。据付位置設定が右すみの場合には、風エリアとして、全エリアおよび左エリアの二種類のモード選択が可能になる。つまり、リモートコントローラ５の操作部５ｂを使っての二種類のモードの入力に限定され、リモートコントローラ５の液晶表示部５ａの表示も二種類に限定される。このような室内機２におけるモード選択の制限とリモートコントローラ５による画面表示と入力の制限の方法ついては後述する。
【０１０４】
＜風エリアと液晶表示の制限方法＞
図１７は、図１１に示した制御部３０のＣＰＵ３１ａと記憶部３１ｂと室内機２の送受信部４０とを抜き出したものである。室内機２の側の記憶部３１ｂには、垂直ルーバー１２を駆動するための垂直ルーバー駆動アプリケーションＡＰ１と、サイドシャッタ駆動アプリケーションＡＰ２が記憶されている。そして、垂直ルーバー駆動アプリケーションＡＰ１には、中央用サブプログラムＰ１と、右すみ用サブプログラムＰ２と、左すみ用サブプログラムＰ３とが含まれている。また、サイドシャッタ駆動アプリケーションＡＰ２にも、中央用サブプログラムＰ４と、右すみ用サブプログラムＰ５と、左すみ用サブプログラムＰ６とが含まれている。
【０１０５】
また、図１３（ｂ）に示すように、リモートコントローラ５の記憶部５ｄには、風エリア設定アプリケーションＡＰ３が記憶されており、これには据付位置中央用サブプログラムＳｕｂ１と、据付位置右すみ用サブプログラムＳｕｂ２と、据付位置左すみ用サブプログラムＳｕｂ３とが含まれている。
【０１０６】
図１４に示した液晶表示部５ａの画面表示とリモートコントローラ５の制御については据付位置中央用サブプログラムＳｕｂ１に記述され、垂直ルーバー１２の制御は中央用サブプログラムＰ１に記述され、左シャッタ２０ａと右シャッタ２０ｂの制御は中央用サブプログラムＰ４に記述されている。
【０１０７】
また、図１５に示した液晶表示部５ａの画面表示とリモートコントローラ５の制御については据付位置右すみ用サブプログラムＳｕｂ２に記述され、垂直ルーバー１２の制御は右すみ用サブプログラムＰ２に記述され、左シャッタ２０ａと右シャッタ２０ｂの制御は右すみ用サブプログラムＰ５に記述されている。
【０１０８】
また、図１６に示した液晶表示部５ａの画面表示とリモートコントローラ５の制御については据付位置左すみ用サブプログラムＳｕｂ３に記述され、垂直ルーバー１２の制御は左すみ用サブプログラムＰ３に記述され、左シャッタ２０ａと右シャッタ２０ｂの制御は左すみ用サブプログラムＰ６に記述されている。
【０１０９】
図１８のフローチャートに示すように、リモートコントローラ５のメニュー／決定ボタン５ｎを使って図１３（ａ）の液晶表示部５ａの画面表示のように、据付位置設定モードを選択する。図示を省略するが、選択ボタン５ｐにより液晶表示部５ａにはかわるがわる中央、右すみおよび左すみの表示がなされ、メニュー／決定ボタン５ｎにより据付位置を設定する。この据付位置設定モードを使って据付位置設定が行われると、その指令がリモートコントローラ５の送受信部５ｅから送受信部４０を経由してＣＰＵ３１ａに送信される。ＣＰＵ３１ａは、その指令の内容を記憶部３１ｂに記憶する（ステップＳ１）。
【０１１０】
リモートコントローラ５の側では、据付位置設定が行われると、その据付位置に対応するサブプログラムへの切り替えが行われる（ステップＳ２）。例えば据付位置として右すみが選択されると、ＣＰＵ５ｃでは、送受信部５ｅからの指令の送信と並行して、記憶部５ｄから据付位置右すみ用サブプログラムＳｕｂ２の読み込みが行われる。
【０１１１】
室内機２の側では、垂直ルーバー駆動アプリケーションＡＰ１について、ＣＰＵ３１ａが設定した据付位置に対応するサブプログラムの切り替えが行われる。例えば据付位置として右すみが選択されると、ＣＰＵ３１ａでは、記憶部３１ｂへの書き込みと並行して、記憶部３１ｂから右すみ用サブプログラムＰ２の読み込みが行われる（ステップＳ３）。
【０１１２】
同様に、室内機２の側では、サイドシャッタ駆動アプリケーションＡＰ２について、ＣＰＵ３１ａが設定した据付位置に対応するサブプログラムの切り替えが行われる。例えば据付位置として右すみが選択されると、ＣＰＵ３１ａでは、記憶部３１ｂへの書き込みと並行して、記憶部３１ｂから右すみ用サブプログラムＰ５の読み込みが行われる（ステップＳ４）。
【０１１３】
このようにして、例えば、据付位置設定が右すみとなった場合、リモートコントローラ５で据付位置右すみ用サブプログラムＳｕｂ２が走り、室内機２の制御部３０では、右すみ用サブプログラムＰ２，Ｐ５が走ることによって、図１５で説明したような風エリアの設定を行うことができる。このようにして、制限された調和空気の気流の範囲と、液晶表示部５ａの画面表示の一致を図ることができる。
【０１１４】
−第２実施形態−
上述の第１実施形態においては、風エリアとして、室内を室内機２の長手方向に３つに分割して、垂直ルーバー１２と左シャッタ２０ａおよび右シャッタ２０ｂの開閉の制御によって、調和空気を直接吹きつけるエリアの選択ができるようにした。そして、室内機２の据付位置の選択により、風エリアとして選択可能なモードを制限する方法について説明した。第１実施形態では、室内機２が取り付けられている壁Ｗからの距離によって調和空気を直接吹きつけるか否かを区別するような風エリアの設定は行われていなかった。
【０１１５】
図１に示した室内機２は、既に説明したように、水平フラップ１１が迫出すことから、壁Ｗから遠いところには調和空気を直接吹き付けないといった設定や、壁Ｗに近いところには調和空気を直接吹き付けないといった設定が可能である。
【０１１６】
例えば、室内を、室内機２の長手方向に３つに分割し、室内機２が設置されている壁Ｗからの距離に応じて３つに分割して、合計９つのブロックに分けることができる。図１９に、水平フラップ１１の姿勢と風エリア選択のための液晶表示部５ａの表示画面との関係を示している。
【０１１７】
図１９において、液晶表示の（ａ）、（ｂ）および（ｃ）の区別は、室内機２の長手方向に３つに分割したときの違いを示している。上述の第１実施形態の全エリアに相当するのが（ａ）であり、右エリアに相当するのが（ｂ）であり、左エリアに相当するのが（ｃ）である。ここでは、（ａ）〜（ｃ）のいずれを選択しても、水平フラップ１１の姿勢を変更しない例を示している。しかし、長手方向の分割された領域の選択に応じて水平フラップ１１の姿勢を微調整するような構成を取ることもできる。
【０１１８】
フラップ姿勢Ｈ１は、ほぼアーム下位位置において、ロールダウン状態に近い状態の運転姿勢である。フラップ姿勢Ｈ１は、室内機２が取り付けられている壁Ｗに近いところから遠いところまで全てにわたって調和空気を吹きつけることができる姿勢である。
【０１１９】
フラップ姿勢Ｈ２は、フラップ姿勢Ｈ１よりも水平フラップ１１を右側面から見て時計回りに所定角度回転させた状態である。フラップ姿勢Ｈ２は、壁Ｗに最も近い領域を除いて調和空気を吹きつけることができる姿勢である。
【０１２０】
フラップ姿勢Ｈ３は、ラップ姿勢Ｈ２よりも水平フラップ１１を右側面から見て時計回りに所定角度回転させた状態である。フラップ姿勢Ｈ３は、壁Ｗに最も遠い領域に調和空気を吹きつけることができる姿勢である。
【０１２１】
フラップ姿勢Ｈ４は、ほぼアーム上位位置において、ロールアップ状態に近い状態の運転姿勢である。フラップ姿勢Ｈ４は、壁Ｗに最も遠い領域を除いて調和空気を吹きつけることができる姿勢である。
【０１２２】
フラップ姿勢Ｈ５は、フラップ姿勢Ｈ５よりも水平フラップ１１を右側面から見て反時計回りに所定角度回転させた状態である。フラップ姿勢Ｈ５は、壁Ｗに最も近い領域に調和空気を吹きつけることができる姿勢である。
【０１２３】
＜液晶表示と風向調整と据付位置＞
室内を、室内機２の長手方向に３つに分割し、壁Ｗからの遠近により３つに分割して９つのエリアに分けた場合について説明する。説明を平易にするため以下においては、長手方向を列、遠近の方向を行と呼び、室内機２に向かって左を１列目、室内機２に近い方を１行目と呼ぶ。
【０１２４】
列方向で選択できるのは、１列目、１列目と２列目、１列目と２列目と３列目、２列目と３列目、および３列目の６種類になる。また、行方向で選択できるのは、１行目、１行目と２行目、１行目と２行目と３行目、２行目と３行目、および３行目の５種類になる。従って、風エリアとして選択できる設定エリアは、全部で３０種類になる。
【０１２５】
液晶表示と風向調整と据付位置の関係は、図２０、図２１、図２２および図２３に示す。これらの図には、２列目と３列目および３列目についての組合せを省略し、２０種類しか記載されていない。省略した組合せは、１列目と２列目および１列目の左右を入れ替えれば同じになる。
【０１２６】
図２０、図２１、図２２および図２３において、液晶表示の欄の左上に記載されている番号は、各設定エリアに割り振られた番号であり、左下に記載されている番号は図１９に示した水平フラップ１１のフラップ姿勢に対応した番号である。これらの図において、「中央」と記載された欄がある列の各欄には、室内を示す正方形が記載され、正方形の中の小さな長方形が室内機を表しており、据付位置設定が中央の場合に調和空気が吹きつけられるエリアが正方形の中にハッチングによって表されている。
【０１２７】
図２０、図２１、図２２および図２３において、各欄の左に記載された「開」「閉」の文字は左シャッタ２０ａの開閉状態を表しており、右に記載された「開」「閉」の文字は右シャッタ２０ｂの開閉状態を表している。また、各欄のＬＬ，ＬＣ，ＣＣ，ＣＲ，ＲＲ，ＬＲは、それぞれ、左のルーバー１９ａと右のルーバー１９ｂが左側スイング角度１２ｐと左側スイング角度１２ｐ、左側スイング角度１２ｐとセンター角度１２ｒ、センター角度１２ｒとセンター角度１２ｒ、センター角度１２ｒと右側スイング角度１２ｑ、右側スイング角度１２ｑと右側スイング角度１２ｑ、および左側スイング角度１２ｐと右側スイング角度１２ｑになっていることを表している。
【０１２８】
以下、図２０〜図２３の中から４つを取り出し、その４つの例について説明する。
【０１２９】
図２０に示すエリアＡｒ１では、液晶表示の９つのブロックが全て黒くなる。このとき、水平フラップ１１はフラップ姿勢Ｈ１の状態である。このモードで据付位置設定が中央になっていれば、左シャッタ２０ａおよび右シャッタ２０ｂは開いており、左のルーバー１９ａは左側スイング角度１２ｐに位置するとともに右のルーバー１９ｂは右側スイング角度１２ｑに位置する。また、このエリアＡｒ１で据付位置設定が右すみになっていれば、左シャッタ２０ａが開いている一方右シャッタ２０ｂは閉じており、左のルーバー１９ａは左側スイング角度１２ｐに位置するとともに右のルーバー１９ｂはセンター角度１２ｒに位置する。また、このエリアＡｒ１で据付位置設定が左すみになっていれば、左シャッタ２０ａが閉じている一方右シャッタ２０ｂは開いており、左のルーバー１９ａはセンター角度１２ｒに位置するとともに右のルーバー１９ｂは右側スイング角度１２ｑに位置する。
【０１３０】
図２１に示すエリアＡｒ７では、液晶表示の中央下側の２行のブロックが黒くなる。このとき、水平フラップ１１はフラップ姿勢Ｈ２の状態である。このモードで据付位置設定が中央になっていれば、左シャッタ２０ａおよび右シャッタ２０ｂは閉じており、左のルーバー１９ａおよび右のルーバー１９ｂはセンター角度１２ｒに位置する。また、このエリアＡｒ７は、据付位置設定が右すみおよび左すみのときには選択することができず、液晶画面への表示もない。
【０１３１】
図２２に示すエリアＡｒ１３では、液晶表示の最下行左すみの２列のブロックが黒くなる。このとき、水平フラップ１１はフラップ姿勢Ｈ３の状態である。このモードで据付位置設定が中央になっていれば、左シャッタ２０ａおよび右シャッタ２０ｂは閉じており、左のルーバー１９ａは左側スイング角度１２ｐに位置するとともに右のルーバー１９ｂはセンター角度１２ｒに位置する。また、このエリアＡｒ１３で据付位置設定が右すみになっていれば、左シャッタ２０ａおよび右シャッタ２０ｂは閉じており、左のルーバー１９ａおよび右のルーバー１９ｂは左側スイング角度１２ｐに位置する。また、このエリアＡｒ１３で据付位置設定が左すみになっていれば、左シャッタ２０ａおよび右シャッタ２０ｂが閉じており、左のルーバー１９ａはセンター角度１２ｒに位置するとともに右のルーバー１９ｂは右側スイング角度１２ｑに位置する。
【０１３２】
図２３に示すエリアＡｒ１６では、液晶表示の左１列の３つのブロックが黒くなる。このとき、水平フラップ１１はフラップ姿勢Ｈ１の状態である。このモードで据付位置設定が中央になっていれば、左シャッタ２０ａは開く一方右シャッタ２０ｂは閉じており、左のルーバー１９ａおよび右のルーバー１９ｂは左側スイング角度１２ｐに位置する。また、このエリアＡｒ１６で据付位置設定が右すみになっていれば、左シャッタ２０ａおよび右シャッタ２０ｂは閉じており、左のルーバー１９ａおよび右のルーバー１９ｂは左側スイング角度１２ｐに位置する。また、このエリアＡｒ１６で据付位置設定が左すみになっていれば、左シャッタ２０ａおよび右シャッタ２０ｂが閉じており、左のルーバー１９ａおよび右のルーバー１９ｂはセンター角度１２ｒに位置する。
【０１３３】
このような切り替えを実現するには、図２４に示されているように、図１３（ｂ）と同様に、リモートコントローラ５の記憶部５ｄに、風エリア設定アプリケーションＡＰ４が記憶されており、これには据付位置中央用サブプログラムＳｕｂ１１と、据付位置右すみ用サブプログラムＳｕｂ１２と、据付位置左すみ用サブプログラムＳｕｂ１３とを記憶させておく必要がある。
【０１３４】
図２４の据付位置中央用サブプログラムＳｕｂ１１と据付位置右すみ用サブプログラムＳｕｂ１２と据付位置左すみ用サブプログラムＳｕｂ１３が、図１３（ｂ）の据付位置中央用サブプログラムＳｕｂ１と据付位置右すみ用サブプログラムＳｕｂ２と、据付位置左すみ用サブプログラムＳｕｂ３とは、風エリアとして選択可能なモードの数が例えば据付位置設定が中央の場合でモードの種類が３０種類と３種類で大きく異なっている。
【０１３５】
そして、水平フラップ１１の角度の設定が風エリアのモード選択と連動しているので、室内機２の制御部３０のＣＰＵ３１ａの側で、リモートコントローラ５から送られてくる風エリアのモードで水平フラップ１１の状態を決定するように、構成されている。そのために、風エリア設定モードと水平フラップの姿勢に対応関係が記憶部３１ｂに記述される。
【０１３６】
＜変形例＞
（１）上記実施形態では、壁掛け型の室内機２の場合について説明したが、室内機のタイプは壁掛け型に限られるものではなく、天井設置型や据え置き型であってもよく、それ以外のタイプであってもよい。
【０１３７】
（２）上記実施形態では、垂直ルーバー１２が左のルーバー１９ａと右のルーバー１９ｂの２つに分かれ、それぞれ別々に駆動される場合について説明したが、垂直ルーバー１２は分かれて駆動されず、一体として一つのステッピングモータにより駆動されている場合にも適用できる。また、３つ以上に分かれている場合でも適用できるが、その場合には、最も左側にあるルーバーで左シャッタ２０ａの開閉を判断し、最も右側にあるルーバーで右シャッタ２０ｂの開閉を判断するのが好ましい。
【０１３８】
（３）上記各実施形態では、気流調節装置は、左シャッタ２０ａおよび右シャッタ２０ｂを含む場合について説明したが、左シャッタ２０ａおよび右シャッタ２０ｂを含んでいないものにも適応できる。また、気流調節装置は、水平フラップ１１、垂直ルーバー１２、並びに左シャッタ２０ａおよび右シャッタ２０ｂ以外に風向を調節するものを含んでいてもよい。
【０１３９】
（４）リモートコントローラ５は、無線で情報の通信を行う場合を示したが、優先で情報通信を行うものであってもよく、遠隔地から情報を送信するものであってもよい。
【０１４０】
（５）上記各実施形態では、リモートコントローラ５の風エリアボタン５ｍを押すことによってサイクリックに表示と選択エリアが切り替わる対応について説明した。しかし、入力部からの入力方法は他の方法であってもよく、例えば第２実施形態においては液晶タッチパネルを用いてマトリックス状の９つのブロックを指で触れることで入力が行われると同時に、触れた部分の色が反転して入力を知らせるようなものであってもよい。
【０１４１】
（６）上記各実施形態では、液晶表示の表示画面を出さないことによって、制限された選択エリアの液晶表示部５ａに表示させ内容にしているが、その際に制限された選択エリアの選択が禁止される旨の表示を行うこともできる。このような禁止されている旨の表示を行えば、操作者に対して、制限された選択エリアの情報を与えることができる。
【０１４２】
（７）上記各実施形態では、左シャッタ２０ａおよび右シャッタ２０ｂは開くか閉じるかの制御しかできなかったが、例えば左シャッタ２０ａおよび右シャッタ２０ｂの開く部分を制限することで調和空気を導くエリアを制限することができる。例えば、シャッタに丸い穴が開いていてその丸い穴が向く方向を変更するような構成である。
【０１４３】
＜特徴＞
（ａ）室内機２は、水平フラップ１１、垂直ルーバー１２並びに左シャッタ２０ａおよび右シャッタ２０ｂを含む気流調節装置と、制御部３０と、リモートコントローラ５（操作器）とを備えている。そして、リモートコントローラ５には、液晶表示部５ａと操作部５ｂ（入力部）とがある。リモートコントローラ５は、風エリアとして選択可能な「全エリア」、「左エリア」および「右エリア」あるいはエリアＡｒ１，Ａｒ２，…（設定エリア）を液晶表示部５ａに表示する。操作部５ｂの風エリアボタン５ｍで最終的に選択されて最終的に液晶表示部５ａに表示された風エリア（選択エリア）が入力となる。選択される風エリアがサイクリックに表示されるので、操作者は、所望の風エリアが表示されるまで操作部５ｂを操作する。
【０１４４】
一方、制御部３０は、気流調節装置によって導かれる調和空気の範囲を制限する気流範囲制限モードとして据付位置設定モードの設定ができる。第１実施形態においては、例えば、据付位置「左すみ」を選択すると、風エリアボタン５ｍを何度押しても全エリアと右エリアの液晶表示しか行われず、左エリアについての画面表示が行われない。また、第２実施形態においては、例えば、据付位置「右すみ」を選択すると、風エリアボタン５ｍを押すことでエリアＡｒ１、エリアＡｒ２、…と順にエリアが切り替わるが、エリアＡｒ５の次はエリアＡｒ１１にスキップし、同様にエリアＡｒ１５の次はエリアＡｒ２０の次のエリアにスキップする。このようにエリアＡｒ６〜Ａｒ１０やエリアＡｒ１６〜Ａｒ２０に対応する液晶表示が表れず、入力が制限される。それにより、リモートコントローラ５の操作者は、表示のなされない制限された設定エリアを認識し得ないので、操作者が誤解をすることもなくなる。
【０１４５】
（ｂ）気流調節装置は、吹出口７から吹き出される調和空気の風向きの角度を調節する羽根として、水平フラップ１１や垂直ルーバー１２を有しており、羽根の角度に制限を設けることで気流範囲制限モードに対して調和空気を導くエリアを制限する。また、左シャッタ２０ａおよび右シャッタ２０ｂが開くのを制限することで調和空気を導くエリアを制限する。
【０１４６】
（ｃ）リモートコントローラ５の操作上の制限と気流調節装置の動作の制限との一致は、リモートコントローラ５と制御部３０とにそれぞれに設けられているＣＰＵ５ｃ，３１ａのプログラムを同時に切り替えることによって行うことができる。すなわち据付位置モードの中央、右すみ、左すみに対応するプログラムをリモートコントローラ５と制御部３０が有しており、据付位置設定モードの切り替えに合わせて双方でプログラムを切り替える。それにより、リモートコントローラ５の操作と気流調節装置の動作の一致が図られる。
【符号の説明】
【０１４７】
１  空気調和装置
２  室内機
５  リモートコントローラ
５ａ  液晶表示部
５ｂ  操作部
６  ケーシング本体
７  吹出口
７ａ  中央吹出口
７ｂ  左側方吹出口
７ｃ  右側方吹出口
１１  水平フラップ
１２  垂直ルーバー
【先行技術文献】
【特許文献】
【０１４８】
【特許文献１】特開平８−１７８４０７号公報
【図１】
2011080648.tif 000003
【図２】
2011080648.tif 000004
【図３】
2011080648.tif 000005
【図４】
2011080648.tif 000006
【図５】
2011080648.tif 000007
【図６】
2011080648.tif 000008
【図７】
2011080648.tif 000009
【図８】
2011080648.tif 000010
【図９】
2011080648.tif 000011
【図１０】
2011080648.tif 000012
【図１１】
2011080648.tif 000013
【図１２】
2011080648.tif 000014
【図１３】
2011080648.tif 000015
【図１４】
2011080648.tif 000016
【図１５】
2011080648.tif 000017
【図１６】
2011080648.tif 000018
【図１７】
2011080648.tif 000019
【図１８】
2011080648.tif 000020
【図１９】
2011080648.tif 000021
【図２０】
2011080648.tif 000022
【図２１】
2011080648.tif 000023
【図２２】
2011080648.tif 000024
【図２３】
2011080648.tif 000025
【図２４】
2011080648.tif 000026